【手続補正書】
【提出日】平成27年12月29日(2015.12.29)
【手続補正１】
【補正対象書類名】明細書
【補正対象項目名】０１０４
【補正方法】変更
【補正の内容】
【０１０４】
当然ながら、当業者は、明白に提示されたものでも偶発的なものでも、要件を満たすために、前述の、調理され、その後、冷蔵温度、周囲温度または冷凍温度まで冷却され、小分けされパッケージされた食品を再生する家庭用再生機、および、その再生機によって実施される、調理され、その後、冷蔵温度、周囲温度または冷凍温度まで冷却され、小分けされパッケージされた食品を再生する方法に、数多くの修正および変更を加えるかもしれないが、これらはすべて、以下の特許請求の範囲に定義される本発明の保護の範囲でカバーされるものである。
なお、本発明は、実施の態様として以下の内容を含む。
［態様１］
調理され、その後、冷蔵温度、周囲温度または冷凍温度まで冷却され、小分けされパッケージされた食品を再生する家庭用再生機（１０）であって、
少なくとも１つの、前記調理され、その後、冷蔵温度、周囲温度または冷凍温度まで冷却され、小分けされパッケージされた食品を再生すべく受け入れる少なくとも１つのコンパートメント（１６、１８）と、
前記少なくとも１つのコンパートメント（１６、１８）に加熱流体を供給する少なくとも１つのダクト（６５、６５ｂ、６５ｃ、６８ａ、６９、６９ａ、６９ｂ）とを備え、
前記少なくとも１つのダクト（６９）には、前記少なくとも１つの、調理され、その後、冷蔵温度、周囲温度または冷凍温度まで冷却され、小分けされパッケージされた食品のレシピに応じた目標温度に、前記加熱流体を加熱するために加熱手段（７２）が設けられ、
さらに、前記少なくとも１つのコンパートメント（１６、１８）に入れられた、特定の、前記調理され、その後、冷蔵温度、周囲温度または冷凍温度まで冷却され、小分けされパッケージされた食品のレシピを認識する認識手段と、
前記特定の、調理され、その後、冷蔵温度、周囲温度または冷凍温度まで冷却され、小分けされパッケージされた食品のレシピに応じた所定の加熱サイクルで作動するように、前記再生機（１０）を自動的に設定する制御ユニット（２０）とを備える再生機（１０）。
［態様２］
前記調理され、その後、冷蔵温度、周囲温度または冷凍温度まで冷却され、小分けされパッケージされた食品を、各々受け入れ、各々のレシピにしたがって個々にかつ相互に独立して再生し、すべて温かいまま消費する準備を確実に同時に整える複数の前記コンパートメント（１６、１８）を備える態様１に記載の再生機（１０）。
［態様３］
少なくとも１つの電磁弁（７０）を好ましくは備えて少なくとも１つの加熱流体供給ダクト（６９）を通して前記加熱流体を流したり流さないようにしたりする手段、および、少なくとも１つの電気抵抗（７２）を備える前記加熱流体供給ダクト（６９）と、前記少なくも１つのコンパートメント（１６、１８）が、流体について連通している態様１または２に記載の再生機（１０）。
［態様４］
前記加熱流体が水を含み、前記少なくとも１つの加熱流体供給ダクト（６９）が、前記水を１００℃未満の目標温度に加熱する第１の電気抵抗（７２）と、前記水から水蒸気を生成する第２の電気抵抗とを備え、
前記少なくとも１つの電磁弁（７０）が、前記少なくとも１つのコンパートメント（１６、１８）に、そこに入れられた、前記少なくとも１つの、調理され、その後、冷蔵温度、周囲温度または冷凍温度まで冷却され、小分けされパッケージされた食品のレシピに応じて、前記第１の電気抵抗（７２）で加熱された前記水か、前記第２の電気抵抗で生成された前記水蒸気かを供給することを可能とする態様３に記載の再生機（１０）。
［態様５］
少なくとも１つの電磁弁（６６）を好ましくは備えて少なくとも１つの加熱流体供給ダクト（６９）を通して前記加熱流体を流したり流さないようにしたりする手段と、少なくとも１つの電気抵抗とを備える各ダクト（６５ａ、６５ｂ、６５ｃ）を通して、各コンパートメント（１６、１８）が、前記加熱流体供給ダクト（６９）と流体について連通している態様２に記載の再生機（１０）。
［態様６］
前記少なくとも１つのダクト（６９）の上流に配置される水タンク（６０）をさらに備える態様１から５のいずれか一態様に記載の再生機（１０）。
［態様７］
冷水用の少なくとも１つの部分（６０ａ）と、それよりも熱い水用の少なくとも１つの部分（６０ｂ、６０ｃ）とに前記水タンク（６０）を分ける少なくとも１つの壁（６０ｄ、６０ｅ）を、前記水タンク（６０）が備える態様６に記載の再生機（１０）。
［態様８］
前記制御ユニット（２０）がユーザーインターフェース（２１）を備え、前記認識手段が、前記少なくとも１つのコンパートメント（１６、１８）に入れられた、前記特定の、調理され、その後、冷蔵温度、周囲温度または冷凍温度まで冷却され、小分けされパッケージされた食品を認識した後に、ユーザーが、前記ユーザーインターフェース（２１）によって、前記所定の加熱サイクルを変更できる態様１から７のいずれか一態様に記載の再生機（１０）。
［態様９］
調理され、その後、冷蔵温度、周囲温度または冷凍温度まで冷却され、小分けされパッケージされた大きな食品を受け入れる第１の容積を有する少なくとも１つのコンパートメント（１６）と、
調理され、その後、冷蔵温度、周囲温度または冷凍温度まで冷却され、小分けされパッケージされたより小さな食品を受け取るより小さな容積を有する少なくとも１つのコンパートメント（１８）とを備える態様１から８のいずれか一態様に記載の再生機（１０）。
［態様１０］
調理され、その後、冷蔵温度、周囲温度または冷凍温度まで冷却され、小分けされパッケージされた食品を家庭用再生機（１０）によって再生する方法であって、
−少なくとも１つの、前記調理され、その後、冷蔵温度、周囲温度または冷凍温度まで冷却され、小分けされパッケージされた食品を前記再生機（１０）の少なくとも１つのコンパートメントに入れ、
−前記少なくとも１つのコンパートメントに入れられた、特定の、前記調理され、その後、冷蔵温度、周囲温度または冷凍温度まで冷却され、小分けされパッケージされた食品のレシピに応じた目標温度に加熱された加熱流体で、前記少なくとも１つのコンパートメントを満たし、
−前記レシピに応じた目標時間だけ、前記加熱流体で、前記特定の、調理され、その後、冷蔵温度、周囲温度または冷凍温度まで冷却され、小分けされパッケージされた食品を加熱する
各ステップを備える方法。
［態様１１］
前記少なくとも１つのコンパートメントが空であるときに、そのコンパートメントに、前記少なくとも１つの、調理され、その後、冷蔵温度、周囲温度または冷凍温度まで冷却され、小分けされパッケージされた食品を入れ、前記加熱流体が、前記少なくとも１つのコンパートメントに入れられる前に、前記目標温度に加熱される態様１０に記載の方法。
［態様１２］
前記調理され、その後、冷蔵温度、周囲温度または冷凍温度まで冷却され、小分けされパッケージされた食品を各々受け入れ、再生する複数のコンパートメントを、前記再生機（１０）が備え、
前記特定の、調理され、その後、冷蔵温度、周囲温度または冷凍温度まで冷却され、小分けされパッケージされた食品を加熱するステップが、前記複数のコンパートメントの少なくともいくつかを各々のレシピにしたがって個々にかつ相互に独立して加熱し、前記調理され、その後、冷蔵温度、周囲温度または冷凍温度まで冷却され、小分けされパッケージされた食品をすべて温かいまま消費する準備を確実に同時に整えることを含む態様１０または１１に記載の方法。
［態様１３］
前記少なくとも１つのコンパートメントを前記加熱流体で満たすステップが、前記少なくとも１つのコンパートメントを、そこに入れられた、前記少なくとも１つの、調理され、その後、冷蔵温度、周囲温度または冷凍温度まで冷却され、小分けされパッケージされた食品のレシピに応じて、水および／または水蒸気および／または飽和空気および／または湿度が非常に高い空気で満たすことを含む態様１０から１２のいずれか一態様に記載の方法。
［態様１４］
前記少なくとも１つの、調理され、その後、冷蔵温度、周囲温度または冷凍温度まで冷却され、小分けされパッケージされた食品を加熱するステップが、前記少なくとも１つのコンパートメントに、水のみか、水蒸気のみか、飽和空気のみか、湿度が非常に高い空気のみかを供給すること、またはその代わりに、最初に、水蒸気か、飽和空気か、湿度が非常に高い空気かを供給し、続いて水を供給することを含む態様１０から１３のいずれか一態様に記載の方法。
［態様１５］
前記少なくとも１つのコンパートメントに、そこに前記水が供給された後に、水蒸気を加えるステップをさらに備える態様１４に記載の方法。
［態様１６］
−前記少なくとも１つのコンパートメントに入れられた、前記特定の、調理され、その後、冷蔵温度、周囲温度または冷凍温度まで冷却され、小分けされパッケージされた食品のレシピを認識し、
−前記レシピに応じた所定の加熱サイクルで作動するように、前記再生機（１０）を自動的に設定する
各ステップをさらに備える態様１０から１５のいずれか一態様に記載の方法。
［態様１７］
前記少なくとも１つの、調理され、その後、冷蔵温度、周囲温度または冷凍温度まで冷却され、小分けされパッケージされた食品の加熱サイクルを、ユーザーインターフェースによって変更するステップを備える態様１０から１６のいずれか一態様に記載の方法。
［態様１８］
前記調理され、その後、冷蔵温度、周囲温度または冷凍温度まで冷却され、小分けされパッケージされた食品が肉であり、
前記少なくとも１つの、調理され、その後、冷蔵温度、周囲温度または冷凍温度まで冷却され、小分けされパッケージされた食品の加熱サイクルを変更するステップが、ブルー、レッド、ミディアムまたはウェルダンとして肉を再生するために、異なる４つの所定の設定から１つを選択することを含む態様１７に記載の方法。